(57)【特許請求の範囲】
【請求項１】
複数のプロジェクターと前記プロジェクターを制御する制御装置とが無線ＬＡＮを介して通信可能に構成されたプロジェクターシステムであって、
前記プロジェクターは、
電源が投入された時間を示す情報を前記制御装置に送信する送信手段を備え、
前記制御装置は、
前記情報を受信する受信手段と、
前記情報に基づいて、電源が投入された時間が遅い順に前記複数のプロジェクターの識別情報を一覧としたリストを生成するリスト生成手段と、
前記複数のプロジェクターのうち、電源が投入された時間が最も遅いプロジェクターを特定する特定手段と、
前記特定手段で特定された前記電源が投入された時間が最も遅いプロジェクターの識別情報を含む、前記リスト生成手段によって生成されたリストを表示する表示手段と、
を備えることを特徴とするプロジェクターシステム。
【請求項２】
前記表示手段は、前記プロジェクターの識別情報に対応付けて、当該プロジェクターの電源が投入された時間を表示することを特徴とする請求項１に記載のプロジェクターシステム。
【請求項３】
前記送信手段が送信する前記情報は、さらに、前記プロジェクターの設置場所に関する内容を含み、
前記表示手段は、前記プロジェクターの識別情報に対応付けて、前記設置場所を表示することを特徴とする請求項１または２に記載のプロジェクターシステム。
【請求項４】
前記制御装置は、
前記情報を要求する情報要求を複数の前記プロジェクターに対して送信する情報要求送信手段をさらに備え、
前記プロジェクターの前記送信手段は、前記情報要求を受信したことに応じて、前記情報を前記制御装置に送信することを特徴とする請求項１から３のいずれか１項に記載のプロジェクターシステム。
【請求項５】
前記制御装置は、
接続可能な前記プロジェクターを検索するためのプローブ要求をブロードキャストするプローブ要求送信手段をさらに備え、
前記プロジェクターの前記送信手段は、前記プローブ要求を受信したことに応じて、前記情報を前記制御装置に送信することを特徴とする請求項１から４のいずれか１項に記載のプロジェクターシステム。
【請求項６】
複数のプロジェクターと無線ＬＡＮを介して通信可能に構成された制御装置であって、
前記複数のプロジェクターから、電源が投入された時間を示す情報を受信する受信手段と、
前記情報に基づいて、電源が投入された時間が遅い順に前記複数のプロジェクターの識別情報を一覧としたリストを生成するリスト生成手段と、
前記複数のプロジェクターのうち、電源が投入された時間が最も遅いプロジェクターを特定する特定手段と、
前記特定手段で特定された前記電源が投入された時間が最も遅いプロジェクターの識別情報を含む、前記リスト生成手段によって生成されたリストを表示する表示手段と、
を備えることを特徴とする制御装置。
【請求項７】
複数のプロジェクターと無線ＬＡＮを介して通信可能に構成された制御装置に、
前記複数のプロジェクターから、電源が投入された時間を示す情報を受信する受信ステップと、
前記情報に基づいて、電源が投入された時間が遅い順に前記プロジェクターの識別情報を一覧としたリストを生成するリスト生成ステップと、
前記情報に基づいて、前記複数のプロジェクターのうち、電源が投入された時間が最も遅いプロジェクターを特定する特定ステップと、
前記電源が投入された時間が最も遅いプロジェクターの識別情報を含む、電源が投入された時間が遅い順に表示された前記リストを表示する表示ステップと、
を実行させるためのプログラム。
【請求項８】
複数のプロジェクターと前記プロジェクターを制御する制御装置とが無線ＬＡＮを介して通信可能に構成されたプロジェクターシステムの制御方法であって、
前記プロジェクターが、電源が投入された時間を示す情報を前記制御装置に送信する送信ステップと、
前記制御装置が、前記情報を受信する受信ステップと、
前記情報に基づいて、電源が投入された時間が遅い順に前記プロジェクターの識別情報を一覧としたリストを生成するリスト生成ステップと、
前記制御装置が、前記情報に基づいて、前記複数のプロジェクターのうち、電源が投入された時間が最も遅いプロジェクターを特定する特定ステップと、
前記電源が投入された時間が最も遅いプロジェクターの識別情報を含む、電源が投入された時間が遅い順に表示された前記リストを表示する表示ステップと、
を備えることを特徴とするプロジェクターシステムの制御方法。
【発明の詳細な説明】
【技術分野】
【０００１】
本発明は、複数のプロジェクターと、それらのプロジェクターを制御するＰＣ（パーソナルコンピューター）などの制御装置とが無線ＬＡＮを介して通信可能に構成されたプロジェクターシステム、当該プロジェクターシステムを構成するプロジェクター、および、当該プロジェクターシステムにおいて制御装置が実行するプログラムに関する。
【背景技術】
【０００２】
例えば無線ＬＡＮなどの無線通信手段を介して通信可能に構成されたプロジェクターとＰＣとを接続する場合、ＰＣ側で接続ソフトウェアを立ち上げて接続可能なプロジェクターを検索し、検索されたプロジェクターの中から所望のプロジェクターを選択して接続を確立する方法が知られている。例えば、特許文献１に記載の方法では、検索ＰＣからのプローブ要求信号の電界強度を段階的に上げて検索範囲を拡げていき、応答のあったプロジェクターをリストアップするというものである。
【先行技術文献】
【特許文献】
【０００３】
【特許文献１】特開２００６−１９６９４６号公報
【発明の概要】
【発明が解決しようとする課題】
【０００４】
しかしながら、特許文献１の検索システムでは、無線信号の電界強度を微調整することが難しいことから、ある電界強度でプロジェクターが検索されなかった場合に、次に強度を高めて検索すると複数のプロジェクターが検索されることがある。したがって、このような場合に、リストアップされたプロジェクターのいずれが接続したいプロジェクター（例えば手許のプロジェクター）なのかが分かりにくく、ユーザーが他の情報（例えば型番）などを手掛かりとして接続したいプロジェクターを選択する必要があった。
【課題を解決するための手段】
【０００５】
上記課題を解決することを目的とする本発明の一の形態は、複数のプロジェクターと前記プロジェクターを制御する制御装置とが無線ＬＡＮを介して通信可能に構成されたプロジェクターシステムであって、前記プロジェクターは、電源が投入された時間を示す情報を前記制御装置に送信する送信手段を備え、
前記制御装置は、前記情報を受信する受信手段と、前記情報に基づいて、前記複数のプロジェクターのうち、電源が投入された時間が最も遅いプロジェクターを特定する特定手段と、特定された前記プロジェクターの識別情報を表示する表示手段と、を備えることを特徴とする。
【０００６】
一般的に、会議室などでプロジェクターを使用する場合、当該プロジェクターの電源は使用の直前に投入されることが多い。したがって、大抵は、これから使用するプロジェクターは、一番最近に電源が投入されたプロジェクターである。本発明のプロジェクターシステムによれば、プロジェクターに電源が投入された時間を手掛かりとして、当該時間が最も遅いプロジェクターを特定してその識別情報を表示することができるので、これから使用するプロジェクターを制御装置側でより確実に特定して表示することができる。
【０００７】
また、上記プロジェクターシステムにおいて、前記制御装置は、前記情報に基づいて、電源が投入された時間が遅い順に前記プロジェクターの識別情報を一覧としたリストを生成するリスト生成手段をさらに備え、前記表示手段は、生成されたリストを表示することが好ましい。
【０００８】
これにより、電源が投入された時間を示す情報が複数のプロジェクターから制御装置へ送信された場合でも、ユーザーは一番最近に電源が投入されたプロジェクターが検索上位にきているリストを見ながら使用するプロジェクターを選択できるので、使用したいプロジェクターを容易に特定することができる。
【０００９】
また、上記制御装置において、前記表示手段は、前記プロジェクターの識別情報に対応付けて、当該プロジェクターの電源が投入された時間を表示することが好ましい。
【００１０】
これにより、ユーザーは、電源が投入された時間の表示を確認しながら、使用したいプロジェクターをより確実に特定することができる。
【００１１】
また、複数の上記プロジェクターの各々において、前記送信手段が送信する前期情報は、さらに、前記プロジェクターの設置場所に関する内容を含み、前記制御装置において、前記表示手段は、前記プロジェクターの識別情報に対応付けて、前記設置場所を表示することが好ましい。
【００１２】
これにより、ユーザーは、プロジェクターの設置場所を示す情報の表示を確認しながら、使用したいプロジェクターをより確実に特定することができる。
【００１３】
また、前記制御装置は、前記情報を要求する情報要求を複数の前記プロジェクターに対して送信する情報要求送信手段をさらに備え、前記プロジェクターの前記送信手段は、前記情報要求を受信したことに応じて、前記情報を前記制御装置に送信することが好ましい。
【００１４】
これにより、ユーザーは、使用したいプロジェクターの電源が投入されたことを確認した後で制御装置から情報要求を複数のプロジェクターに対して送信することができるので、使用したいプロジェクターを電源が投入された時間が最も遅いプロジェクターとしてより確実に特定することができる。
【００１５】
前記制御装置は、接続可能な前記プロジェクターを検索するためのプローブ要求をブロードキャストするプローブ要求送信手段をさらに備え、前記プロジェクターの前記送信手段は、前記プローブ要求を受信したことに応じて、前記情報を前記制御装置に送信することが好ましい。
【００１６】
これにより、制御装置からブロードキャストされるプローブ要求をトリガとして、それぞれのプロジェクターの電源が投入された時間を含む上記情報をプロジェクターから制御装置に送信させることができる。
【００１７】
また、本発明の他の形態は、制御装置との間で無線ＬＡＮを介して通信可能に構成されたプロジェクターであって、最後に電源が投入された時間を示す情報を要求する情報要求を前記制御装置から受信したことに応じて、前記情報を前記制御装置に送信することを特徴とする。
【００１８】
また、本発明のさらに他の形態は、複数のプロジェクターと前記プロジェクターを制御する制御装置とが無線ＬＡＮを介して通信可能に構成されたプロジェクターシステムにおいて前記制御装置が実行するプログラムであって、電源が投入された時間を示す情報を要求する情報要求を複数の前記プロジェクターに対して送信する情報要求送信ステップと、前記プロジェクターからの前記情報に基づいて、電源が投入された時間が最も遅い前記プロジェクターの識別情報を表示する表示ステップと、を含むことを特徴とする。
【図面の簡単な説明】
【００１９】
【図１】本発明の実施形態に係るプロジェクターシステムが配される会議スペースを上方から見た図である。
【図２】プロジェクター１００およびＰＣ５０の概略構成図である。
【図３】使用したいプロジェクターを特定して接続するまでの処理を示すフローチャートである。
【図４】使用したいプロジェクターを特定して接続するまでの処理におけるＰＣ表示部５２の画面表示の一例を示す図である。
【図５】使用したいプロジェクターを特定して接続するまでの処理におけるＰＣ表示部５２の画面表示の一例を示す図である。
【図６】使用したいプロジェクターを特定して接続するまでの処理におけるＰＣ表示部５２の画面表示の一例を示す図である。
【発明を実施するための形態】
【００２０】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
図１は、本発明の実施形態に係るプロジェクターシステムが配される会議スペースを上方から見た図である。本実施形態に係るプロジェクターシステムは、パーテーションで区切られた会議スペースＡ〜Ｆのうち、会議スペースＡ〜Ｅの天井に設置されているプロジェクター１１，１２，１３，１４，１５を備える。これらのプロジェクター１１〜１５は、それぞれ、無線ＬＡＮにより通信可能な通信部２１，２２，２３，２４，２５を有する。そして、プロジェクター１１〜１５は、それぞれが設置されている会議スペースＡ〜Ｅに持ち込まれたＰＣ（パーソナルコンピューター）などの制御装置との間で、それぞれの通信部２１〜２５により、アクセスポイント（不図示）経由でデータを無線で送受信することができる。
【００２２】
また、本例のプロジェクターシステムには、さらに、会議スペースＦに持ち込まれたプロジェクター１００、およびプロジェクター１００の制御装置として持ち込まれたＰＣ５０が含まれる。プロジェクター１００は、無線ＬＡＮにより通信可能な通信部１６０を有する。ＰＣ５０は、ノート型のパーソナルコンピューターであり、ＰＣ通信部５１と、カラー表示が可能な液晶パネルであるＰＣ表示部５２とを含む。各会議スペースＡ〜Ｆに設置または持ち込まれたプロジェクター１１，１２，１３，１４，１５，１００は、それぞれの会議スペースの壁面に設けられたスクリーンにプレゼンテーション資料などの映像を投射することができる。
【００２３】
なお、上記の通信部２１〜２５，１６０、およびＰＣ通信部５１は、いずれも、例えばIEEE 802.11a、IEEE 802.11b、またはIEEE 802.11gの少なくとも何れかの無線ＬＡＮ規格に対応した無線ＬＡＮカードである。また、通信部２１〜２５，１６０は、本発明における送信手段の一例であり、ＰＣ通信部５１は、本発明における受信手段、情報要求送信手段、およびプローブ要求送信手段の一例である。また、ＰＣ表示部５２は、本発明における表示手段の一例である。
【００２４】
図２は、プロジェクター１００およびＰＣ５０の概略構成図である。プロジェクター１１〜１５およびプロジェクター１００は、それぞれ型番は異なるが同様の構成を備えているため、これらのプロジェクターを代表して、プロジェクター１００の構成について説明する。
【００２５】
プロジェクター１００は、光源としてのランプ１１０が放射した光を、光の３原色成分（赤色光、青色光、緑色光）に分離し、各色光毎に光学部１２０に含まれる光変調素子である各色光用の液晶ライトバルブにより、ＰＣ５０からの映像信号に応じて変調し、再度合成してスクリーンに投写する、いわゆる「液晶３板式プロジェクター」である。
【００２６】
プロジェクター１００は、プロジェクター１００の本体上面に、プロジェクター１００を操作するための複数の操作用ボタンを備えた操作パネル（図示せず）を備える。なお、会議スペースＡ〜Ｅの天井に設置されているプロジェクター１１〜１５は、上記操作パネルに替えて、当該操作パネルと同様な複数の操作用ボタンを備えたリモコン３１０により遠隔操作される。
【００２７】
プロジェクター１００は、上記の通信部１６０に加えて、ランプ１１０、映像信号処理部１１１、液晶パネル駆動部１１２、操作受付け部１１３、電源部１１４、Ｉ／Ｏブリッジ部１１５、ハードディスク１１６、制御部１１７、記憶部１１８、ランプ駆動部１１９、光学部１２０などから構成されている。
【００２８】
ランプ１１０は、例えば、高圧水銀ランプや、メタルハライドランプ及びハロゲンランプなどの高輝度が得られる放電式ランプである。映像信号処理部１１１は、ＰＣ５０から通信部１６０を介して供給される映像信号に後述する様々な映像信号処理を施す。映像信号処理部１１１は、映像信号を、液晶ライトバルブで表示するのに適した信号とするために、映像信号に含まれる映像データを映像メモリー（図示せず）に書き込み、所定の条件で読み出すなどの映像信号処理を行いデジタル映像信号Doutとして出力する。映像信号処理には、例えば、映像信号により表される映像を拡大および縮小することにより液晶ライトバルブの持つ解像度に合わせるスケーリング処理や、投写レンズの光軸とスクリーンとのなす角によって生じる台形補正歪みを補正するキーストーン補正などが含まれている。
【００２９】
液晶パネル駆動部１１２は、映像信号処理部１１１から入力される映像信号Doutに所定の画像処理を施してアナログの駆動電圧に変換し、当該駆動電圧を、各種同期クロックとともに液晶ライトバルブ（図示せず）に供給し、液晶ライトバルブに映像を写し出させる。液晶パネル駆動部１１２が行なう画像処理としては、映像信号の有する階調値を液晶ライトバルブで表示するのに適した階調値に変換するγ補正処理や、液晶ライトバルブ固有の色むらを補正する色むら補正処理などが含まれている。操作受付け部１１３は、リモコン３１０などの操作部への操作がなされると、操作を受付け、制御部１１７へ各種動作のトリガとなる操作信号を送る。電源部１１４は、外部電源３２０からの交流電力をプラグから導き、内蔵するＡＣ／ＤＣ変換部（いずれも図示せず）にて変圧、整流および平滑するなどの処理を施すことにより安定化させた直流電圧をプロジェクター１００の各部に供給する。
【００３０】
Ｉ／Ｏブリッジ部１１５は、通信部１６０の無線ＬＡＮカードを制御するためのＰＣＭＣＩＡ（Personal Computer Memory Card International Association）に対応したカードコントローラや、ハードディスク１１６を制御するためのＩＤＥ（Integrated Drive Electronics）コントローラなどの各種デバイスコントローラを搭載している。
【００３１】
ハードディスク１１６は、ＩＤＥに対応したハードディスクであり、ウェブページ閲覧用のブラウザと、ブラウザに映像および音声信号を含むＡＶ（Audio Visual）データ再生機能を追加する複数のプラグインなどのプログラムが記憶されている。これにより、プロジェクター１００は、例えばインターネットから通信部１６０を介してダウンロードしたＡＶデータを、ハードディスク１１６に記憶し、プロジェクター１００単体でＡＶデータを再生および投写することができる。
【００３２】
制御部１１７は、ＣＰＵ（Central Processing Unit）であり、バスラインＢｕｓを介して、各部との信号のやり取りを行う。例えば、制御部１１７は、通信部１６０が後述の情報要求またはプローブ要求を受信すると、プロジェクター１００を識別するためのＩＰアドレスなどの識別情報、およびプロジェクター１００の電源が最後に投入された時間を示す情報を応答信号に載せて通信部１６０から送信させる。また、制御部１１７は、プロジェクターが設置されている場所を示す内容を含む上記情報を通信部１６０から送信させてもよい。
【００３３】
記憶部１１８は、例えば、フラッシュメモリーなどデータの書き換えが可能な不揮発性のメモリーにより構成されている。記憶部１１８には、例えば、プロジェクター１００を起動させるときの起動ルーチンや、通信部１６０により通信を行うための各種プロトコルプログラムなど、プロジェクター１００の動作を制御するための様々なプログラムおよび付随するデータが記憶されている。なお、これらのプログラムおよびデータは、ハードディスク１１６に記憶されていても良い。ランプ駆動部１１９は、電源部１１４からの電力供給を受け、放電式ランプであるランプ１１０を点灯するために高電圧を発生して放電経路を形成するイグナイタ回路と、点灯後の安定した点灯状態を維持するためのバラスト回路（いずれも図示せず）とを備えている。
【００３４】
光学部１２０は、ランプ１１０が放射する白色光を輝度分布の安定した略平行光に変換するインテグレータ光学系と、輝度分布の安定した白色光を光の３原色である赤色、緑色、青色の各色光成分に分離して各色光用の液晶ライトバルブに供給する分離光学系と、各色光用の液晶ライトバルブにてそれぞれ映像信号Doutに対応する駆動電圧に応じて変調された各色光を、再度合成する合成光学系（いずれも図示せず）とを含んで構成されている。光学部１２０は、合成光学系から射出されるフルカラーで略平行な変調光を内蔵する投写レンズで拡大した投写光により、スクリーンにフルカラー映像を投写する。
【００３５】
続いて、ＰＣ５０の概略構成について説明する。ＰＣ５０は、前述したＰＣ通信部５１、ＰＣ表示部５２に加えて、ＰＣ電源部５３、ＰＣＩ／Ｏブリッジ部５４、ＰＣハードディスク５５、ＰＣ制御部５６、ＰＣ記憶部５７、ＰＣ操作部５８、ＰＣ操作受付け部５９などから構成されている。なお、プロジェクター１００の構成部位名と区別するため、上記のように、ＰＣ５０の構成部位には「ＰＣ」を附した。
【００３６】
ＰＣ通信部５１は、接続可能なプロジェクターを検索するためのプローブ要求をブロードキャストに送信する。また、ＰＣ通信部５１は、複数のプロジェクター１１〜１５，１００に対して上記識別情報および電源が最後に投入された情報などを要求する情報要求を送信する。そして、ＰＣ通信部５１は、接続可能なプロジェクターからの応答信号を受信する。
【００３７】
ＰＣ電源部５３は、例えば充電式のリチウムイオン電池であり、外部電源から供給された電力を蓄え、直流電圧をＰＣ５０の各部に供給する。ＰＣＩ／Ｏブリッジ部５４は、サウスブリッジであり、ＰＣ通信部５１（無線ＬＡＮカード）を制御するためのＰＣＭＣＩＡに対応したカードコントローラや、ＰＣハードディスク５５を制御するためのＩＤＥコントローラなどの各種デバイスコントローラを搭載している。
【００３８】
ＰＣハードディスク５５は、例えばＩＤＥに対応したハードディスクであり、基本ソフトであるＯＳ（Operating System）や、ブラウザ、文書作成やプレゼンテーションに用いられる各種ビジネス用ソフトなどのプログラムを記憶している。
【００３９】
ＰＣ制御部５６は、本発明における特定手段およびリスト生成手段の一例であり、ＣＰＵ（Central Processing Unit）であり、バスラインＢｕｓを介して、各部との信号のやり取りや、各部の動作を制御する。例えば、ＰＣ制御部５６は、接続可能なプロジェクターの検索を実行するための検索プログラム、検索されたプロジェクターからユーザーが選択したプロジェクターと接続するための接続プログラム、および、ＰＣ通信部５１により通信を行うための各種プロトコルプログラムなどのＰＣ５０の動作を制御するための様々なプログラムを実行する。
【００４０】
また、ＰＣ制御部５６は、上記検索を実行した際に接続可能なプロジェクターが複数検索された場合に、それぞれのプロジェクターからの上記応答信号に含まれる当該プロジェクターを識別するためのＩＰアドレスなどの識別情報、および当該プロジェクターの電源が最後に投入された時間を示す上記情報を後述のＰＣ記憶部５７から読み出し、当該情報に基づいて、電源が投入された時間が遅い順にプロジェクターの識別情報を一覧としたリストを生成する。また、このとき、ＰＣ制御部５６は、電源が投入された時間が最も遅いプロジェクターを特定してリストの最上位とする。
【００４１】
ＰＣ記憶部５７は、本発明における記憶手段の一例であり、例えば、フラッシュメモリーなどデータの書き換えが可能な不揮発性のメモリーにより構成されている。ＰＣ記憶部５７は、ＰＣ制御部５６で実行されるプログラムなどのＰＣ５０の動作を制御するための様々なプログラムや、当該プログラムに付随するデータ類を記憶している。なお、これらのプログラムおよびデータは、ＰＣハードディスク５５に記憶されていても良い。
【００４２】
また、ＰＣ記憶部５７は、ＰＣ通信部５１が受信した上記応答信号に含まれる上記情報を記憶する。より具体的には、ＰＣ記憶部５７は、上記検索を実行した際に接続可能なプロジェクターから送信された応答信号に含まれる情報を記憶する。また、ＰＣ記憶部５７は、複数の接続可能なプロジェクターが検索された際にＰＣ制御部５６により生成される上記リストを記憶する。なお、本例では、検索プログラムが実行されると、それより前の検索結果に基づいて生成されたリストの内容は消去される設定となっている。
【００４３】
ＰＣ表示部５２は、電源が投入された時間が最も遅いプロジェクターとして特定されたプロジェクターの識別情報を表示する。また、ＰＣ表示部５２は、上記検索を実行した際に接続可能なプロジェクターが複数検索された場合にＰＣ制御部５６で生成された上記リストを表示する。このとき、ＰＣ表示部５２は、リストアップされたプロジェクターの識別情報とともに、当該識別情報に対応付けてそれぞれのプロジェクターの電源が投入された時間を表示する。また、ＰＣ表示部５２は、上記情報にプロジェクターが設置されている場所を示す内容が含まれている場合、その内容をそれぞれのプロジェクターの識別情報に対応付けて表示してもよい。
【００４４】
ＰＣ操作部５８は、キーボードおよびマウスであり、例えば、ＰＣ５０を起動およびシャットダウン、あるいはプレゼンテーション用の資料を表示させるための各種の操作がなされる。ＰＣ操作受付け部５９は、ＰＣ操作部５８への操作がなされると、その操作を受付け、ＰＣ制御部５６へ各種動作のトリガとなる操作信号を送る。
【００４５】
図３は、使用したいプロジェクターを特定して接続するまでの処理を示すフローチャートである。また、図４から図６は、使用したいプロジェクターを特定して接続するまでの処理におけるＰＣ表示部５２の画面表示の一例を示す図である。以下、本実施形態のプロジェクターシステムにおける、接続可能なプロジェクターの検索からユーザーが使用したいプロジェクターとの接続の確立までの動作フローの一例を、図３のフローチャートに沿って説明する。また、その際に、図４から図６に示すＰＣ表示部５２の画面表示の内容を適宜参照しながら説明する。
【００４６】
本動作フローでは、まず、ユーザーがＰＣ操作部５８を操作することによりＰＣ制御部５６に検索プログラムを実行させると、図４に示す画面がＰＣ表示部５２に表示される。ここで、ユーザーが画面右下の「検索」ボタンを押すと、ＰＣ５０のＰＣ通信部５１が、接続可能なプロジェクターを検索するためのプローブ要求をブロードキャストする（ステップＳ１０）。そして、ＰＣ通信部５１が、少なくとも１台の接続可能なプロジェクターから応答信号を受信した場合、すなわち接続可能なプロジェクターを検出した場合（ステップＳ２０：ＹＥＳ）、ＰＣ５０のＰＣ制御部５６は、それぞれのプロジェクターからの応答信号に含まれる当該プロジェクターの型番、当該プロジェクターの電源が最後に投入された時間、およびプロジェクターが設置されている場所をプロジェクター毎に一覧としてリストを生成してＰＣ表示部５２に表示させる（ステップＳ３０）。本例では、プロジェクターの型番は「プロジェクター名」として表示される。なお、接続可能なプロジェクターが１台も検出されなかった場合（ステップＳ２０：ＮＯ）は、本動作フローは終了する。なお、この場合、ユーザーは、使用したいプロジェクターの電源を投入したのち、再度本動作フローを実行してよい。
【００４７】
例えば、接続可能なプロジェクターとして、図１の会議スペースＦに持ち込まれたプロジェクター１００、会議スペースＤに設置されたプロジェクター１４、会議スペースＢに設置されたプロジェクター１２、および会議スペースＡに設置されたプロジェクター１１の４台のプロジェクターが検索された場合、図５に示すように、電源が投入された時間が遅い順に上から識別情報などが表示されたリストがＰＣ表示部５２に表示される。
【００４８】
そして、ユーザーは、ＰＣ表示部５２に表示されたリストから使用したいプロジェクターを選び、当該プロジェクターの型番（プロジェクター名）の横のチェックボックスにチェックを入れて画面右下の「接続」ボタンを押す（ステップＳ４０）。図６には、ユーザーが、電源が投入された時間が最も遅いプロジェクターとしてリストの一番上（最上位）に表示されているプロジェクター１００（ＥＭＰ２４８４Ｆ）を使用したいプロジェクターとして選択した場合の表示画面を示す。これにより、ＰＣ制御部５６が選択されたプロジェクターとの接続プログラムを実行し、選択されたプロジェクター１００との接続が試行される（ステップＳ５０）。
【００４９】
そして、選択されたプロジェクター１００との接続が確立された場合（ステップＳ６０：ＹＥＳ）、本フローは終了する。一方、選択されたプロジェクター１００との接続が確立できなった場合（ステップＳ６０：ＮＯ）、ＰＣ制御部５６は、例えば「接続」ボタンが押されてから所定時間後に「接続できません」とのメッセージウィンドウをＰＣ表示部５２に表示させてもよい。そして、この場合、ユーザーは、ＰＣ表示部５２に表示されたリストから他のプロジェクターを選び（ステップＳ４０）、画面右下の「接続」ボタンを押す（ステップＳ５０）。その後は上記ステップＳ６０以降のフローが繰り返される。
【００５０】
以上のように、実施形態のプロジェクターシステムでは、接続可能なプロジェクターとして複数のプロジェクターが検索された場合でも、電源が投入された時間など手掛かりとして、当該時間が最も遅いプロジェクターの識別情報を検索上位に表示したリストを生成することができる。そして、ほとんどの場合、ユーザーがこれから使用を予定するプロジェクターと電源が投入された時間が最も遅いプロジェクターとが一致することから、本システムによれば、ユーザーは、リストの上位に表示されたプロジェクターだけを見てこれから使用するプロジェクターを容易に特定することができる。
【００５１】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００５２】
１１，１２，１３，１４，１５，１００…プロジェクター、２１，２２，２３，２４，２５，１６０…通信部、５０…ＰＣ、５１…ＰＣ通信部、５２…ＰＣ表示部、５３…ＰＣ電源部、５４…ＰＣＩ／Ｏブリッジ部、５５…ＰＣハードディスク、５６…ＰＣ制御部、５７…ＰＣ記憶部、５８…ＰＣ操作部、５９…ＰＣ操作受付け部、１１０…ランプ、
１１１…映像信号処理部、１１２…液晶パネル駆動部、１１３…操作受付け部、１１４…電源部、１１５…Ｉ／Ｏブリッジ部、１１６…ハードディスク、１１７…制御部、１１８…記憶部、１１９…ランプ駆動部、１２０…光学部、３１０…リモコン、３２０…外部電源
【図１】
0005434418.tif 000002
【図２】
0005434418.tif 000003
【図３】
0005434418.tif 000004
【図４】
0005434418.tif 000005
【図５】
0005434418.tif 000006
【図６】
0005434418.tif 000007